(57)【特許請求の範囲】
【請求項１】
銀行サーバシステムと利用者のコンピュータシステムとをオンライン接続し、利用者の指示に基づき前記コンピュータシステムの表示画面上に過去の銀行取引明細データを表示する電子通帳表示システムであって、
前記利用者のコンピュータシステムに過去の取引明細データを格納する取引明細格納手段と、
銀行サーバシステムと利用者のコンピュータシステムとをオンライン接続するための接続手段と、
過去に前記銀行サーバシステムへアクセスし上記取引明細データをダウンロードしたこと示すアクセスログを格納するアクセスログ格納手段と、
取引明細を表示したい期間の入力を受け付ける明細参照期間入力手段と、
前記明細参照期間入力手段に入力された明細参照期間の終期が、前記アクセスログ格納手段に格納されたアクセスログ中の最後のアクセス時期よりも後であるかを判別し、後である場合には前記取引明細格納手段に格納されていない取引明細のみを前記サーバシステムから前記利用者のコンピュータシステムに選択的にダウンロードし、前記取引明細格納手段に格納する取引明細ダウンロード手段と、
前記電子通帳に取引明細を表示したい明細参照期間中の過去の取引明細を前記取引明細格納手段から取り出して前記利用者のコンピュータシステムの表示画面上に表示する取引明細表示手段と、
を有することを特徴とする電子通帳表示システム。
【請求項２】
請求項１記載の電子通帳システムにおいて、
前記取引明細格納手段は、過去の取引明細を、各取引明細にユニークな情報に関連付けて格納するものであり、
前記取引明細ダウンロード手段は、前記銀行サーバシステムに格納された前記各取引明細にユニークな情報と、前記取引明細格納手段に格納された前記各取引明細にユニークな情報とを比較することで、既にダウンロードした取引明細かを判断するものである
ことを特徴とする電子通帳表示システム。
【請求項３】
請求項１記載の電子通帳表示システムにおいて、
前記取引明細ダウンロード手段は、
銀行サーバシステムに対して利用者の認証情報を銀行に送信する認証手段を有し、
前記認証手段による認証がなされたことに基いて、取引明細をダウンロードするものである
ことを特徴とする電子通帳表示システム。
【請求項４】
請求項１記載の電子通帳表示システムにおいて、
さらに、
前記銀行サーバに設けられ、明細参照期間入力手段に入力された取引明細参照期間を受け取り、その期間中の取引明細件数をカウントして前記利用者のコンピュータシステムの表示画面上に表示する取引明細件数カウント手段を有し、
前記取引明細ダウンロード手段は、前記利用者から前記表示画面に表示された取引明細件数に基づいて明細参照期間の変更を受け付けるものである
ことを特徴とする電子通帳表示システム。
【請求項５】
請求項１記載の電子通帳表示システムにおいて、
前記取引明細表示手段で表示する前に、前記取引明細格納手段から取り出した前記利用者の取引明細を、新しいものから古いものへの順に並びかえる取引明細並び替え手段を有することを特徴とする電子通帳表示システム。
【請求項６】
銀行サーバシステムと利用者のコンピュータシステムとをオンライン接続し、利用者の指示に基づき前記コンピュータシステムの表示画面上に過去の銀行取引明細データを表示する電子通帳表示方法であって、
前記利用者のコンピュータシステムが過去の取引明細データを格納する取引明細格納工程と、
銀行サーバシステムと利用者のコンピュータシステムとをオンライン接続する接続工程と、
前記利用者のコンピュータシステムが過去に前記銀行サーバシステムへアクセスし上記取引明細データをダウンロードしたこと示すアクセスログを格納するアクセスログ格納工程と、
前記利用者のコンピュータシステムが、取引明細を表示したい期間の入力を受け付ける明細参照期間入力工程と、
前記利用者のコンピュータシステム若しくは銀行のサーバシステムが、前記明細参照期間入力手段に入力された明細参照期間の終期が、前記アクセスログ格納手段に格納されたアクセスログ中の最後のアクセス時期よりも後であるかを判別し、後である場合には前記取引明細格納手段に格納されていない取引明細のみを前記サーバシステムから前記利用者のコンピュータシステムに選択的にダウンロードし、前記取引明細格納手段に格納する取引明細ダウンロード工程と、
前記利用者のコンピュータシステムが、記電子通帳に取引明細を表示したい明細参照期間中の過去の取引明細を前記取引明細格納手段から取り出して前記利用者のコンピュータシステムの表示画面上に表示する取引明細表示工程と、
を有することを特徴とする電子通帳表示方法。
【請求項７】
請求項６記載の電子通帳方法において、
前記取引明細格納工程は、過去の取引明細を、各取引明細にユニークな情報に関連付けて格納するものであり、
前記取引明細ダウンロード工程は、前記銀行サーバシステムに格納された前記各取引明細にユニークな情報と、前記取引明細格納手段に格納された前記各取引明細にユニークな情報とを比較することで、既にダウンロードした取引明細かを判断するものである
ことを特徴とする電子通帳表示方法。
【請求項８】
請求項６記載の電子通帳表示方法において、
前記取引明細ダウンロード工程は、
銀行サーバシステムに対して利用者の認証情報を銀行に送信する前記認証工程を有し、
認証工程による認証がなされたことに基いて、取引明細をダウンロードするものである
ことを特徴とする電子通帳表示方法。
【請求項９】
請求項６記載の電子通帳表示方法において、
さらに、
前記銀行サーバに設けられ、明細参照期間入力手段に入力された取引明細参照期間を受け取り、その期間中の取引明細件数をカウントして前記利用者のコンピュータシステムの表示画面上に表示する取引明細件数カウント工程を有し、
前記取引明細ダウンロード工程は、前記利用者から前記表示画面に表示された取引明細件数に基づいて明細参照期間の変更を受け付けるものである
ことを特徴とする電子通帳表示方法。
【請求項１０】
請求項６記載の電子通帳表示方法において、
前記取引明細表示工程で表示する前に、前記取引明細格納手段から取り出した前記利用者の取引明細を、新しいものから古いものへの順に並びかえる取引明細並び替え工程を有することを特徴とする電子通帳表示方法。
【請求項１１】
利用者のコンピュータシステムで実行され、銀行サーバシステムと利用者のコンピュータシステムとをオンライン接続し、利用者の指示に基づき前記コンピュータシステムの表示画面上に過去の銀行取引明細データを表示する電子通帳表示用コンピュータソフトウエアプログラムであって、
前記利用者のコンピュータシステムに過去の取引明細データを格納させる取引明細格納手段と、
銀行サーバシステムと利用者のコンピュータシステムとをオンライン接続させる接続手段と、
前記利用者のコンピュータシステムに過去に前記銀行サーバシステムへアクセスし上記取引明細データをダウンロードしたこと示すアクセスログを格納するアクセスログ格納手段と、
前記利用者から取引明細を表示したい期間の入力を受け付ける明細参照期間入力手段と、
前記明細参照期間入力手段に入力された明細参照期間の終期が、前記アクセスログ格納手段に格納されたアクセスログ中の最後のアクセス時期よりも後であるかを前記利用者のコンピュータシステムに判別させ、後である場合には前記取引明細格納手段に格納されていない取引明細のみを前記サーバシステムから前記利用者のコンピュータシステムに選択的にダウンロードし、前記取引明細格納手段に格納させる取引明細ダウンロード手段と、
前記電子通帳に取引明細を表示したい明細参照期間中の過去の取引明細を前記取引明細格納手段から取り出して前記利用者のコンピュータシステムの表示画面上に表示させる取引明細表示手段と、
を有することを特徴とする電子通帳表示用のコンピュータソフトウエアプログラム。
【請求項１２】
請求項１１記載の電子通帳表示用のコンピュータソフトウエアプログラムにおいて、
前記取引明細格納手段は、過去の取引明細を、各取引明細にユニークな情報に関連付けて格納するものであり、
前記取引明細ダウンロード手段は、前記銀行サーバシステムに格納された前記各取引明細にユニークな情報と、前記取引明細格納手段に格納された前記各取引明細にユニークな情報とを比較することで、既にダウンロードした取引明細かを判断するものである
ことを特徴とする電子通帳表示用のコンピュータソフトウエアプログラム。
【請求項１３】
請求項１１記載の電子通帳表示用のコンピュータソフトウエアプログラムにおいて、
前記取引明細ダウンロード手段は、
銀行サーバシステムに対して利用者の認証情報を銀行に送信する前記認証手段を有し、
認証手段による認証がなされたことに基いて、取引明細をダウンロードするものである
ことを特徴とする電子通帳表示用のコンピュータソフトウエアプログラム。
【請求項１４】
請求項１１記載の電子通帳表示用のコンピュータソフトウエアプログラムにおいて、
さらに、
前記銀行サーバから取引明細件数のカウントを受け取り、前記利用者のコンピュータシステムの表示画面上に表示する取引明細件数カウント手段を有し、
前記取引明細ダウンロード手段は、前記利用者から前記表示画面に表示された取引明細件数に基づいて明細参照期間の変更を受け付けるものである
ことを特徴とする電子通帳表示用のコンピュータソフトウエアプログラム。
【請求項１５】
請求項１１記載の電子通帳表示用のコンピュータソフトウエアプログラムにおいて、
前記取引明細表示手段で表示する前に、前記取引明細格納手段から取り出した前記利用者の取引明細を、新しいものから古いものへの順に並びかえる取引明細並び替え手段を有することを特徴とする電子通帳表示用のコンピュータソフトウエアプログラム。
【発明の詳細な説明】
【０００１】
【発明の属する技術分野】
本発明は、インターネットを通した銀行サービスを主体とする、いわゆるインターネット専業銀行において、顧客からの要求に応じて過去の取引明細を表示するための電子通帳表示システム、電子通帳表示方法に関するものである。
【０００２】
【従来の技術】
近年、インターネット等の通信ネットワークを通して銀行の各種サービスを受けることができる、いわゆる「インターネットバンキング」が注目を集めている。
【０００３】
このインターネットバンキングでは、利用者の端末と金融機関のサーバとをインターネットやＩＳＤＮ回線を介して接続し、残高・入出金明細照会や、振込・振替、各種の情報提供といったサービスを受けることができる。このようなインターネットバンキングによれば、利用者にとって時間や場所を選ばずに銀行サービスを受けることができ、また、銀行にとっても様々な面での経費削減が見込まれるため、各銀行ともインターネットバンキングシステムの開発に熱心に取り組んでいる。
【０００４】
ところで、上述したインターネットバンキングは、実存の営業店舗に口座を有することを前提に提供される付加的なサービスである。すなわち、利用者は通常の口座を作成した後で、これとは別にインターネットバンキング契約を結ぶ必要がある。
【０００５】
これに対して、近年、インターネットバンキングから１歩進んだインターネット専業銀行が注目を集めている。このインターネット専業銀行は、店舗窓口を設けず、インターネット上で口座の開設や解約が行え、３６５日２４時間無休で営業する銀行である。このような銀行を構築するには、通常の営業店舗で行なっている紙ベースのサービスを無くす工夫が必要である。
【０００６】
【発明が解決しようとする課題】
すなわち、日本における従来の銀行サービスやインターネットバンキングでは、顧客は紙ベースの通帳を保持している。インターネットバンキングでは、残高照会や入出金明細をインターネット上で参照することができるサービスもあるが、通帳への記入を前提しており、参照期間に制限があったり、記入後は参照することができなくなるなど、機能は限定的である。
【０００７】
また、従来、通帳を発行せず、顧客に対して一定の間隔で入出金明細（入出金ステートメント）を送付するサービスが存在するが、その機能は基本的には通帳と同じである。
【０００８】
この発明は、このような事情に鑑みてなされたもので、通帳や入出金ステートメントを使用せずに、入出金明細等の参照に関して従来以上の利便性を提供できる電子通帳システムを提供することを目的とする。
【０００９】
【課題を解決するための手段】
上記目的を達成するため、この発明の第１の観点によれば、銀行における過去の取引明細を格納するための取引明細格納手段と、銀行に設置されたサーバシステムに接続する接続手段と、前記取引明細格納手段に格納されていない取引明細のみを前記コンピュータシステムから選択的にダウンロードし、前記取引明細格納手段に格納する取引明細ダウンロード手段と、前記取引明細格納手段に格納された過去の取引明細を表示するための取引明細表示手段とを有することを特徴とする電子通帳表示システムが提供される。
【００１０】
このような構成によれば、過去の取引明細を表示するに際し、一部の取引明細をダウンロードするのみで、取引明細の連続性が担保された電子通帳を表示することができる。これにより、通信データ量が削減でき、処理の高速化を図ることが可能になるから、膨大な取引明細を有する場合であってもその全てを表示できる電子通帳表示システムを得ることができる。
【００１１】
すなわち、一般に、銀行により提供される明細データは、ブラウザ上に一旦表示させてから、利用者が範囲指定をしてコンピュータシステムに保存する必要があると考えられる。しかし、このような方法であると、ブラウザ上にデータを表示する際に、当該データを利用者のシステムにダウンロードする必要があるから、通信データ量が多くなり、システムに負荷がかかり表示にも時間がかかるということがある。
【００１２】
これに対して、上記構成によれば、利用者が参照したい期間内の取引明細の一部のみをダウンロードすることで、すべての取引明細を含む電子通帳を表示することができるから、上述のような問題はない。これにより、通帳や入出金ステートメントを使用せずに、入出金明細等の参照に関して従来以上の利便性を提供できる電子通帳システムを実現できる。
【００１３】
なお、ここで、前記取引明細格納手段は、過去の取引明細を、各取引明細にユニークな情報に関連付けて格納するものであり、前記取引明細ダウンロード手段は、前記サーバシステムから前記各取引明細にユニークな情報を受け取り、参照することで、既にダウンロードした取引明細かを判断するものであることが好ましい。
【００１４】
また、前記取引明細ダウンロード手段は、サーバシステムに対して利用者の認証情報を銀行に送信する認証手段を有し、認証手段による認証がなされたことに基いて、取引明細をダウンロードするものであることが望ましい。この場合、このシステムは、さらに、サーバシステムへのアクセスログを格納するアクセスログ格納手段と、電子通帳に取引明細を表示したい期間を入力する手段とを有し、この期間の終期が、前記アクセスログ格納手段に格納された最後のアクセス時期よりも後の場合に、前記サーバシステムに接続して未だダウンロードしていない取引明細をダウンロードするものであることがより好ましい。また、さらに、前記期間中の取引明細件数を表示する取引明細件数表示手段を有することが望ましい。
【００１５】
また、この発明の第２の主要な観点によれば、銀行における過去の取引明細を格納するための取引明細格納手段と、利用者からの取引明細表示要求を受け取る表示要求手段と、前記表示要求に基いて、前記利用者の取引明細を前記取引明細格納手段から取り出し、過去の取引明細を、新しいものから古いものへの順に表示する取引明細表示手段とを有することを特徴とする電子通帳表示システムが提供される。
【００１６】
このような構成によれば、銀行が提供する編集不可能な電子通帳を表示するに際し、過去の取引明細を、新しいものから古いものへの順に表示することができるから、その利便性が格段に向上する。また、取引開始時からの全ての取引明細を閲覧することができるから、その利用価値は非常に高い。
【００１７】
なお、この発明の他の特徴と顕著な効果は、以下の発明の実施の形態の項および添付した図面とにより明確に理解される。
【００１８】
【発明の実施の形態】
以下、本発明の実施の形態を図面に基づき説明する。
【００１９】
この発明の一実施形態に係る通帳表示システムは、図１に示すように、インターネット専業銀行のサーバシステム１と、このサーバシステムにインターネット網を介して接続される顧客システム２（クライアントシステム）とから構成される。
【００２０】
以下、これらサーバシステム１及び顧客システム２の構成について簡単に説明した後、これらのシステムによる通帳表示処理動作について詳しく説明する。
【００２１】
（銀行サーバシステム）
まず、銀行に設置されたサーバシステム１について説明する。
【００２２】
このサーバシステム１は、この発明の要旨に関係するもののみを説明すると、大きく分けて、取引処理部５と、取引明細格納部６と、取引明細表示処理部７と、取引明細ダウンロード処理部８とからなる。取引処理部５は、顧客システム２からのオンラインでの口座開設、口座解約、資金移動等の取引要求をその要求内容に応じて処理し、その取引の明細を取引明細格納部６に格納するものである。また、取引明細表示処理部７は、顧客システム２に、前記取引明細格納部６に格納された過去の取引明細を表示する機能を有する。さらに、取引明細ダウンロード処理部８は、利用者に対して、過去の取引明細を表示せずにダウンロードさせる機能を有する。これら各構成要素は、実際には、各システム１、２に設けられたハードディスク等の記憶媒体にインストールされ、各システムのＲＡＭ等に呼び出されて実行されるものである。以下、各構成要素について詳しく説明する。
【００２３】
（取引処理部、取引明細格納部）
前記取引処理部５は、利用者の取引について、取引年月日、取引番号、摘要、預り金額、支払金額、取引後残高の各情報を１レコードとして前記取引明細格納部６に格納する。この取引明細格納部６は、前記情報が蓄積されてなるデータベースであり、このサーバシステムのデータベース制御システム（図示しない）に接続されている。
【００２４】
（取引明細表示処理部）
前記取引明細表示処理部７は、顧客からの取引明細表示要求を受け取る表示要求受取部１０と、この表示要求に基いて前記利用者の取引明細を前記取引明細格納手段から取り出し新しいものから古いものへの順に並びかえる取引明細並替部１１と、この並替部１１によって並びかえられた取引明細を顧客システム２に表示する取引明細表示部１２とを有する。
【００２５】
前記表示要求受取部１０は、利用者の認証の後、当該利用者の当該口座を特定するための情報が付加された通帳表示要求を受け取り、前記取引明細並替部１１と取引明細表示部１２に受け渡す。前記取引明細並替部１１は、前記データベース制御システムを介して前記取引明細格納部６にアクセスし、前記顧客の取引開始時からの取引明細を取引日についての降順で取り出す。そして、取引明細表示部１２は、この取引明細並替部１１で並び替えられた取引明細を通帳データとして例えばＨＴＭＬ文書に成形し、顧客システム２に送信する。
【００２６】
（取引明細ダウンロード処理部）
一方、前記取引明細ダウンロード処理部８は、利用者から所定期間内の取引明細数のカウント要求を受け取るカウント要求受取部１５と、前記所定期間内の取引明細の数をカウントする取引明細数カウント部１６と、所定期間内の取引明細のダウンロード要求を受け取るダウンロード要求受取部１７と、所定期間内の取引明細のうち未だダウンロードされていない取引明細を顧客システムにダウンロードさせる（送信する）ための取引明細ダウンロード部１８とを有する。
【００２７】
この取引明細ダウンロード処理部８は、後で説明するように、前記取引明細表示処理部７と異なり、利用者に対して取引明細を表示することなくダウンロードさせる機能を提供するものである。
【００２８】
（顧客システム）
次に、前記銀行サーバシステム１に接続される顧客システム２について説明する。
【００２９】
この顧客システム２は、まず、前記銀行サーバシステム１と通信し、前記取引明細表示処理部７から送信された電子通帳を表示するためのブラウザ２０を有する。すなわち、このブラウザ２０は、この電子通帳中の取引明細を、取引日が新しいものから古いものの順に表示するようになっている。
【００３０】
また、この顧客システム２には、前記ブラウザ２０とは別に、前記取引明細ダウンロード処理部８からダウンロードされた過去の取引明細を受取り、これを編集可能な電子通帳として表示するための顧客システム側電子通帳表示処理部２１が設けられている。この顧客システム側電子通帳表示処理部２１は、例えば、専用のソフトウエアとしてこの顧客システム２にインストールされたものである。
【００３１】
この顧客側電子通帳表示処理部２１は、サーバシステム１からダウンロードした取引明細を格納するための取引明細格納部２４と、前記銀行サーバシステム１に接続するための接続部２５と、ダウンロードしたい取引明細の期間を入力する明細参照期間入力部２６と、この期間中の取引明細件数を表示する取引明細件数表示部２７と、この期間中の取引明細のうち前記取引明細格納部２４に格納されていない取引明細のみを前記サーバシステム１から選択的にダウンロードし、前記取引明細格納部２４に格納する取引明細ダウンロード部２８と、前記取引明細格納部２４に格納された過去の取引明細を表示するための取引明細表示部２９と、以上のサーバシステム１へとの通信ログを記録格納する通信ログ格納部３０とを有する。
【００３２】
前記取引明細格納部２４は、当該顧客の過去の取引明細を、各取引明細にユニークな情報に関連付けて格納するものである。具体的には、この顧客の取引明細情報を、取引年月日、取引番号、摘要、預り金額、支払金額、取引後残高の各情報を１レコードとして格納する。
【００３３】
また、取引明細件数表示部２７は、銀行サーバシステム１から、顧客が明細参照期間入力部２６で入力した期間中の取引明細件数のカウント情報を受け取り、表示するものである。そして、顧客がこの明細件数を確認した後、ダウンロード指示を発することで、前記取引明細ダウンロード部２８は、取引明細のダウンロードを開始する。この取引明細ダウンロード部２８は、前記サーバシステム１から各取引明細にユニークな情報として、例えば取引年月日及び取引番号等のユニーク情報を受け取り、前記取引明細格納部２４に照会することで、既にダウンロードした取引明細かを判断する。このことで、既にダウンロードした取引明細については再度ダウンロードすることはしない。
【００３４】
また、この取引明細ダウンロード部２８は、前記通信ログ格納部３０に格納された通信ログを参照し、顧客が取引明細の参照を要求する期間の終期が、通信ログに記録された最後のアクセス時期よりも後の場合にのみ、前記サーバシステム１に接続して未だダウンロードしていない取引明細をダウンロードするようになっている。
【００３５】
さらに、この取引明細ダウンロード部２８は、サーバシステムに対して利用者の認証情報（銀行口座、暗証番号等）を銀行に送信する認証部３１を有し、認証部３１による認証がなされたことに基いて、自動的に上記処理を開始するものである。
【００３６】
（システムの動作説明）
次に、上記システムを利用した電子通帳表示処理動作について説明する。
【００３７】
この実施形態では、（１）ブラウザ２０を使用して銀行サーバシステム側で成形された編集不能な電子通帳を表示する手順と、（２）専用ソフトウエアである前記電子通帳表示処理部２１を使用して銀行サーバシステム１から取引明細をダウンロードし編集可能な状態で表示する手順と、を選択的に実行できる。以下、これらを分けて説明する。
【００３８】
（ブラウザを使用して銀行サーバシステム側で成形された編集不能な電子通帳を表示する手順）
まず、ブラウザ２０を使用して銀行サーバシステム１側で成形された編集不能な電子通帳（取引明細データ）を表示する手順について説明する。
【００３９】
この場合、図２に示すように、まず、ブラウザ２０を通して銀行サーバシステムにログインし（ステップＳ１）、口座番号及び暗証番号を入力して認証を受ける（ステップＳ２）。ついで、電子通帳表示指示を入力することで（ステップＳ３）、この指示を前記サーバシステム１の表示要求受取部１０が受け取り、前記取引明細並替部１１によって当該顧客の取引明細が取引日について降順に並び替えられ（ステップＳ４）、並び替えられた後の取引明細が前記取引明細表示部１２によって顧客システム２に送信されてブラウザ２０上に表示される（ステップＳ５）。
【００４０】
図３は、ブラウザ２０の表示画面例を示したものである。
【００４１】
この図に４１で示す入力欄を利用することで、顧客は、見たい年度及び月度を指定することができるが、この例に特に指定をしない場合には、取引日が最も近いものから順にすべての取引明細が表示されることになる。すなわち、取引明細が一画面に表示しきれない場合には、「次へ」のボタン４２を押すことで、最大、取引開始時までの取引明細を順次閲覧することができる。
【００４２】
このような構成によれば、銀行サーバシステム１側で生成する編集不可能な通帳であって、取引日について降順で表示される電子通帳を実現できる。すなわち、従来の通帳では、取引日の古いものから順に表示されているので、利便性が低いということがあったが、この実施形態によれば、顧客にとって最も興味のある最近の取引が最初に表示されることになり、利便性が高い。
【００４３】
また、この通帳表示システムによれば、取引開始からの取引明細を全て閲覧することができるので、利便性が高い。すなわち、従来の通帳によれば、紙面の制約から、取引開始からの全ての取引明細を含む事には制約があったが、この実施形態のシステムによれば、そのような制約はない。
【００４４】
（専用システムを使用して銀行サーバシステムから取引明細をダウンロードし、編集可能な状態で表示する手順）
次に、専用ソフトウエアである電子通帳表示処理部２１を使用して銀行サーバシステム１から必要な取引明細のみを選択的ダウンロードし、編集可能な状態で表示する手順について説明する。図４は、この手順を説明するためのフローチャートであり、図５以下は画面例である。
【００４５】
この場合、顧客は、顧客システム２上で専用のソフトウエアを立ち上げる。このことで、まず、前記接続部２５によって自動的又は半自動的ににインターネットを介して銀行サーバシステムに接続され、図５に示す画面が表示される。この画面において、店番号５１、口座番号５２、パスワード５３および取引明細の参照期間５４を入力する。参照期間５４は、例えば、２０００／０３／０１‐２０００／０３／３１のように入力する。そして、ＯＫボタン５５を押すことで、前記明細参照期間入力部２６及び前記認証部３１によって、前記銀行サーバシステム１に対してこれらのデータが送信される。このことで、当該参照期間中の対象取引明細数のカウント指示が、銀行サーバシステム１に対してなされる（図４のステップＳ６）。
【００４６】
銀行サーバシステム１は、前記カウント要求受取部１５でこの指示を受け取り、まず、口座認証処理を行う。この認証・ログイン時にセッションごとのＩＤが付与され、ログイン後はこのセッションＩＤを保持した状態で以下の各処理が実行される。ついで、前記取引明細数カウント部１６で前記参照期間中における取引明細の件数をカウントし、顧客システム上に表示させる（ステップＳ７）。図６は、このカウント結果の表示例を示すものである。この画面においてＯＫボタン５６を押すことによって、顧客による取引明細数の確認がなされる（ステップＳ８）。
【００４７】
次に、顧客システム２の取引明細ダウンロード部２８は、前記通信ログ格納部３０に格納された通信ログを参照し、顧客が取引明細の参照を要求する期間の終期が、通信ログに記録された最後のアクセス時期よりも後であるかを判断する。参照期間の終期が通信ログに記録された最後のアクセス時期よりも後の場合には、前記サーバシステム１に未だダウンロードしていない取引明細がある可能性があるから、前記サーバシステム１に接続してダウンロード処理を開始する（ステップＳ９）。
【００４８】
すなわち、前記取引明細ダウンロード部２８は、前記サーバシステム１から各取引明細にユニークな情報として、例えば取引年月日及び取引番号（ユニーク情報）を受け取り、前記取引明細格納部２４に照会することで、この取引明細格納部に既に格納されている取引明細かを判断する。そして、既にダウンロードした取引明細については再度ダウンロードせず、未ダウンロードの取引明細のみをダウンロードして前記取引明細格納部２４に格納していく（ステップＳ９）。
【００４９】
そして、このダウンロードが終了したならば、前記取引明細格納部２４に格納された当該参照期間内のすべての取引明細を顧客システム２上に表示させる（ステップＳ１０）。図７は、この表示例である。
【００５０】
なお、図６の件数確認画面において、件数が多すぎる場合には、顧客が「戻る」ボタン５７を押すことによって、再度図５に示す画面に戻り、参照期間を入力しなおすことができる。ただし、この実施形態では、前記の認証・ログイン時にセッションごとのＩＤが付与され、ログイン後はこのセッションＩＤを保持した状態で以下の各処理が実行されるようになっているから、このときに再度パスワード等を入力してログインする必要はない。したがって、再入力の際には、図５の画面は参照期間のみが入力できるように構成されていても良い。そして、取引明細のダウンロードが終了したことに基いて、銀行サーバシステム１と顧客システム２との切断が終了し、これと同時に同セッションも終了することになる。
【００５１】
以上の手順で表示される電子通帳は、前述した銀行サーバシステム１側で成形された編集不能な電子通帳を表示する場合と異なり、並び替えや付加的なデータを付け加える事も可能である。この例では、摘要の欄５８を予め登録されている項目から選択して付加することができる。また、メモの欄５９に、メモを記入することも可能になっている。
【００５２】
明細データのダウンロードが終了したならば、銀行サーバシステム１と顧客システム２との接続が切断される。
【００５３】
このような手順によれば、通帳データの表示を高速に行なえる効果がある。
【００５４】
すなわち、一般に、銀行により提供される明細データは、ブラウザ上に一旦表示させてから、利用者が範囲指定をしてコンピュータシステムに保存する必要があると考えられる。しかし、このような方法であると、ブラウザ上にデータを表示する際に、当該データを利用者のシステムにダウンロードする必要があるから、通信データ量が多くなり、システムに負荷がかかるということがある。
【００５５】
これに対して、上記構成によれば、利用者に対する確認は取引明細件数の表示のみによって行ない、過去にダウンロードした取引明細についてはダウンロードしないから、このような問題はない。これによって、利用者が参照したい取引明細が膨大な量に亘る場合であっても、顧客システムに負荷がかからず、高速で表示できるシステムを得ることができ、通帳や入出金ステートメントを使用せずに、入出金明細等の参照に関して従来以上の利便性を提供できる電子通帳システムを実現できる。
【００５６】
なお、この発明は、上記一実施形態に限定されるものではなく、発明の要旨を変更しない範囲で種々変形可能である。
【００５７】
例えば、上記一実施形態では、前記電子通帳表示処理部２１は、前記顧客システム２にインストールされた専用のソフトウエアであったが、このソフトウエアは、ＪＡＶＡアプレット等の形式でサーバシステム１から顧客システム２に送信されて実行されるものであっても良い。
【００５８】
【発明の効果】
以上説明したように、この発明によれば、通帳や入出金ステートメントを使用せずに、入出金明細等の参照に関して従来以上の利便性を提供できる電子通帳システムを提供することができる。
【図面の簡単な説明】
【図１】この発明の一実施形態を示す概略構成図。
【図２】同じく、電子通帳の表示手順を説明するためのフローチャート。
【図３】同じく、顧客システム上の画面表示例を示す図。
【図４】同じく、電子通帳の表示手順を説明するためのフローチャート。
【図５】同じく、顧客システム上の画面表示例を示す図。
【図６】同じく、顧客システム上の画面表示例を示す図。
【図７】同じく、顧客システム上の画面表示例を示す図。
【符号の説明】
１…銀行サーバシステム
２…顧客システム
５…取引処理部
６…取引明細格納部
７…取引明細表示処理部
８…取引明細ダウンロード処理部
１０…表示要求受取部
１１…取引明細並替部
１２…取引明細表示部
１５…カウント要求受取部
１６…取引明細数カウント部
１７…ダウンロード要求受取部
１８…取引明細ダウンロード部
２０…ブラウザ
２１…顧客システム側電子通帳表示処理部
２４…取引明細格納部
２５…接続部
２６…明細参照期間入力部
２７…取引明細件数表示部
２８…取引明細ダウンロード部
２９…取引明細表示部
３０…通信ログ格納部
３１…認証部
【図１】
0004395241.tif 000002
【図２】
0004395241.tif 000003
【図３】
0004395241.tif 000004
【図４】
0004395241.tif 000005
【図５】
0004395241.tif 000006
【図６】
0004395241.tif 000007
【図７】
0004395241.tif 000008